(57)【要約】      （修正有）【課題】プルタブに指先を確実かつ十分に係止できるので、蓋板に力を伝えて引裂き用溝で缶本体から確実に切裂いて開口させることができるし、プルタブ型飲料缶に比べて引裂く力を加えやすいので開蓋操作が容易なプルタブ型缶詰缶を提供する。【解決手段】プルタブ型缶詰缶は、上方が全面的な開口部２Ａになったスチール製の缶本体２と、缶本体の上端縁２Ｂに環状縁部３Ｂを締着して設けたアルミニュウム製の蓋体３とから構成してある。蓋体３は平坦な蓋板３Ａと、蓋板３Ａの外周に起立する環状縁部３Ｂと、環状縁部３Ｂの内側縁に沿って蓋板３Ａに形成した引裂き用溝３Ｃとからなっている。蓋板３Ａには指掛け部４Ａにより引き上げ可能なプルタブ４が鋲着してあり、蓋板３Ａには指掛け部４Ａの下側に凹部５を形成してプルタブ４と蓋板３Ａとの間を指先差込み空間としてある。【選択図】図３
0003189180.tif 000002
【実用新案登録請求の範囲】
【請求項１】
上方が全面的に開口部になった缶本体と、該缶本体の上端縁に環状縁部を締着することにより蓋板が前記開口部を閉塞する蓋体と、前記環状縁部の内側縁に沿って前記蓋板に形成した引裂き用溝と、該蓋板に引き上げ可能に設けられ、該引裂き用溝に沿って蓋板を前記環状縁部から切離すプルタブとからなるプルタブ型缶詰缶であって、前記プルタブの指掛け部の下方に位置して前記蓋板に凹部を形成することにより、該蓋板とプルタブとの間を指先差込み空間にしてあることを特徴とするプルタブ型缶詰缶。
【請求項２】
前記蓋板に形成する凹部は、横幅を約２０ｍｍ、深さを約４ｍｍにしてあることを特徴とする請求項１記載のプルタブ型缶詰缶。
【考案の詳細な説明】
【技術分野】
【０００１】
本考案は、魚類、肉類、果実等の固形加工食品を収容し、プルタブで蓋体を引き上げることにより容器本体の上方を全面的に開口するようにしたプルタブ型缶詰缶に関する。
【背景技術】
【０００２】
固形加工食品を収容する缶詰缶には、缶切りによって容器本体から蓋体を切離すようにした缶切り型缶詰缶と、プルタブを引き上げることにより容器本体から蓋体を引裂いて全面的に開口するようにしたプルタブ型缶詰缶がある。近年は、缶切りが無くても開蓋可能なプルタブ型缶詰缶が多く用いられるようになっている。
【０００３】
プルタブ型缶詰缶は、缶本体に締着した蓋体に引裂き用溝を環状に形成し、蓋体の縁に鋲着したプルタブの指掛け部に指先を掛けて引き上げることによりプルタブの先端側を引裂き用溝に食い込ませて蓋板に切込みを形成した後、プルタブを手前に引いて引裂き用溝で蓋板を切裂くようにしたものである。
【先行技術文献】
【特許文献】
【０００４】
【特許文献１】見出せず。
【考案の概要】
【考案が解決しようとする課題】
【０００５】
上述した先行技術に関連する技術として、蓋板に飲み口を開口形成するプルタブ型飲料缶が知られている。しかし、プルタブ型飲料缶とは異なって、プルタブ型缶詰缶におけるプルタブは、蓋体に切込みを形成するために強く引上げる操作、次に蓋体を引裂くために手前に強く引く操作を行うものであることから、プルタブ型飲料缶のプルタブに比べて数倍の操作力が加えられるのであり、この加えられた力を蓋体に変形することなく直に伝える必要から平らに、かつ強度性を持たせて形成してある。また、引き上げる際には指先をプルタブに確実に係止できることが重要である。
【０００６】
しかし、蓋板に鋲着してあるプルタブは平らであるため、蓋体との間に殆んど隙間が無く、またプルタブに剛性があることから、開蓋時に指先を蓋体とプルタブとの間に十分に差し込んで確実に係止させることができずに指先が滑って痛めるという欠点、蓋体の引上げ力を十分に伝えることができないので蓋板を引裂くのに苦労するといった欠点がある。
【０００７】
本考案は上述した従来技術の欠点に鑑みなされたもので、プルタブに指先を確実かつ十分に係止することができるので、蓋体に力を伝えて引裂き用溝で缶本体から確実に引裂いて開口させることができるし、プルタブ型飲料缶に比べて引裂く力を加えやすいので開蓋操作が容易なプルタブ型缶詰缶を提供することを目的とする。
【課題を解決するための手段】
【０００８】
上述した課題を解決するために構成した本考案の手段は、上方が全面的に開口部になった缶本体と、該缶本体の上端縁に環状縁部を締着することにより蓋板が前記開口部を閉塞する蓋体と、前記環状縁部の内側縁に沿って前記蓋板に形成した引裂き用溝と、該蓋板に引き上げ可能に設けられ、該引裂き用溝に沿って前記蓋板を前記環状縁部から切離すプルタブとからなるプルタブ型缶詰缶であって、前記プルタブの指掛け部の下方に位置して前記蓋板に凹部を形成することにより、該蓋板とプルタブとの間を指先差込み空間にしたものからなる。
【０００９】
そして、前記蓋板に形成する凹部は、横幅を約２０ｍｍ、深さを約４ｍｍにするとよい。
【考案の効果】
【００１０】
本考案は上述の如く構成したから、下記の諸効果を奏する。
（１）蓋体を缶本体から切離すプルタブ型缶詰缶で、プルタブの指掛け部の下方に位置して蓋板に凹部を形成し、蓋板とプルタブとの間を指先差込み空間にしたから、プルタブに指先を確実かつ十分に係止できるので、指先を痛めることなくプルタブを引き上げて蓋板を容易に、確実に引裂き用溝から引裂くことができる。
（２）蓋板に形成する凹部は、横幅を約２０ｍｍ、深さを約４ｍｍに設定したから、プルタブに指先を容易に、かつ確実に係止することができるし、指先を痛めるといった事態を解消することができる。
【図面の簡単な説明】
【００１１】
【図１】本考案の実施の形態に係るプルタブ型缶詰缶の正面図である。
【図２】図１中のＩＩ−ＩＩ矢示方向断面図である。
【図３】図１中のＩＩＩ−ＩＩＩ矢示方向断面図である。
【図４】開蓋操作を示す説明図である。
【考案を実施するための形態】
【００１２】
以下、本考案の実施の形態を図面に基づき詳述する。図において、１は缶詰缶、２は該缶詰缶１を構成し、上方が全面的に開口部２Ａになった有底円筒状のスチール製の缶本体で、該缶本体２は上端縁２Ｂを略し字状に屈曲形成してあり、後述する蓋体３と締着するようになっている。
【００１３】
３は前記缶本体２の上方開口を覆うアルミニュウム製の蓋体を示す。該蓋体３は円板状の蓋板３Ａと、該蓋板３Ａの外周に起立形成した環状縁部３Ｂと、該環状縁部３Ｂの内側縁に沿って線状に形成した引裂き用溝３Ｃと、タブ用ダボ３Ｄを一体に成形したものからなり、該環状縁部３Ｂを缶本体２の上端縁２Ｂに嵌合して加圧締着することにより、缶本体２の開口部２Ａを覆って内部を密閉している。
【００１４】
４は前記蓋板３Ａの径方向一側に設けたプルタブを示す。該プルタブ４は平面視で略卵型をなしており、リング状の指掛け部４Ａと、該指掛け部４Ａから前方に突出する連結部４Ｂと、該連結部４Ｂの先端縁に形成した切込み部４Ｃとを一体に成形したものからなり、切込み部４Ｃの先端を前記引裂き用溝３Ｃに合わせて連結部４Ｂをタブ用ダボ３Ｄによって蓋板３Ａに取着してある。
【００１５】
５は前記プルタブ４の指掛け部４Ａの下側に位置して蓋板３Ａに形成した凹部で、該凹部５は横幅約２０ｍｍ、深さ約４ｍｍの平面視で略円形の形状に形成してあり、蓋板３Ａと指掛け部４Ａとの間を指先差込み空間Ａにしてある。
【００１６】
本実施の形態による缶詰缶１は上述の構成からなるもので、缶本体２から蓋体３を開蓋して開口する場合、プルタブ４の指掛け部４Ａの下側に指先を差し込むが、蓋板３Ａとプルタブ４との間の凹部５は指先差込み空間Ａにしてあるから、指先をプルタブ４の下側に容易に、また確実に差し込むことが出来る。これによりプルタブ４に指先を確実に係合させることで開蓋操作の際に指先を痛めることが無い。
【００１７】
かつ、蓋板３Ａとプルタブ４との間に形成した指先差込み空間Ａによってプルタブ４に指先を確実に係止させて引起し力を確実に伝えることができるから、プルタブ４の切込み部４Ｃを引裂き用溝３Ｃに強く食い込ませて切裂くことができる。そして、引裂き用溝３Ｃを切裂いたらプルタブ４を手前方向に引き上げることで切裂き用溝３Ｃを引裂き、環状縁部３Ｂから蓋板３Ａを切り開く動作に必要な強い力をプルタブ４に伝えることができるし、指や手を傷付けることなく開蓋することができる。
【００１８】
なお、本実施の形態では、凹部５の大きさを横幅約２０ｍｍ、深さ約４ｍｍのサイズに設定したが、この数値は例示であって容量に影響しない範囲であれば本考案はこの数値に限定されるものではない。
【００１９】
また、本実施の形態では、凹部５を平面視で略円形に形成したが、指先差込み空間を確保できるのであれば縦長四角形、三角形等適宜の形状にできるものである。
【符号の説明】
【００２０】
１      缶詰缶
２      缶本体
２Ａ    開口部
２Ｂ    上端縁
３      蓋体
３Ａ    蓋板
３Ｂ    環状縁部
３Ｃ    引裂き用溝
４      プルタブ
４Ａ    指掛け部
５      凹部
Ａ      指先差込み空間
【図１】
0003189180.tif 000003
【図２】
0003189180.tif 000004
【図３】
0003189180.tif 000005
【図４】
0003189180.tif 000006